(57)【特許請求の範囲】
【請求項１】
関節機能回復装置であって、
すくなくとも、第１架体と、第２架体と、制御桿と、弾性部材と、を含み、
前記第１架体は、第１側板及び第２側板によって制限溝が画定され、前記制限溝において中軸及び第１軸が横設され、前記第１側板及び前記第２側板に当止ピンを着脱するための角度調整孔群が設けられ、
前記第２架体は、前記制限溝に挿設されるラチェット歯車が設けられ、前記ラチェット歯車の中心に前記中軸を挿通させるための中孔を有し、前記ラチェット歯車の外周に外歯部が環状に設けられ、
前記制御桿は、前記制限溝に挿設され、且つ、一端縁に前記ラチェット歯車の外歯部と係合可能な係止歯が設けられ、他端縁が操縦するための操縦部に形成され、さらに前記係止歯と前記操縦部との間に前記第１軸を挿通させるための第１孔が設けられ、
前記弾性部材は、前記制限溝において組設され、前記制御桿に弾性力を与えることができ、前記係止歯を前記ラチェット歯車の外歯部と随時噛合するように付勢して、前記第２架体が前記中軸を支点に前記当止ピンに向かって単方向にのみ回転し位置決めされるように制御し、
さらに、前記第１架体に係止ブロックが設けられ、前記操縦部によって強制的に前記係止歯が前記ラチェット歯車から離れた位置にあるとき、前記第２架体が前記中軸を支点に空回転できるように、前記係止ブロックが切替的に前記制御桿が当該位置に位置決めされることを支持でき、
係合機構は、さらに前記制御桿、前記第１側板に互いに対応している組立孔、ガイド溝が設けられ、ガイドピンが前記ガイド溝を挿通して前記組立孔に固設されることによって、前記制御桿によって前記ガイドピンが前記ガイド溝に沿って移動でき、前記第１側板の外側にピン部材によって係止ブロックが枢設され、前記係止ブロックが係止溝を有し、前記操縦部によって強制的に前記係止歯が前記ラチェット歯車の外歯部から離れた位置にあるとき、前記係止ブロックの係止溝が前記ピン部材を回って揺動的に前記ガイドピンに係入でき、切替的に前記制御桿が当該位置に位置決めされることを支持する
関節機能回復装置。
【請求項２】
請求項１に記載の関節機能回復装置であって、
前記第１側板に、前記係止ブロックの偏転を制止できる制止ピンが設けられている
関節機能回復装置。
【請求項３】
請求項１に記載の関節機能回復装置であって、
前記制御桿はさらに前記係止歯から前記第１軸までの寸法が前記第１軸から前記操縦部までの寸法より小さくなるように制御される
関節機能回復装置。
【請求項４】
請求項１に記載の関節機能回復装置であって、
前記第１架体は、固定桿の前端縁の両側に対応して前記第１側板及び前記第２側板が固設され、前記第２架体は、可動桿の後端縁に前記ラチェット歯車が固設され、
前記第１側板及び前記第２側板には、前記制限溝の中央において前記中軸を横設するための中孔が設けられ、前記中軸に対する後方上縁に前記第１軸を横設するための第１孔が設けられ、前記第１軸に対する下方に第２軸を横設するための第２孔が設けられ、前記第２軸に対する下方に第３軸を横設するための第３孔が設けられ、
前記弾性部材は、前記制限溝中の前記第２軸に巻回され、前記第３軸に当接する第１押さえ脚及び前記制御桿の底縁に弾性力を与えられる第２押え脚を有する
関節機能回復装置。
【請求項５】
請求項１に記載の関節機能回復装置であって、
前記第１側板及び前記第２側板には、前記中軸に対する前方上縁に前記当止ピンの位置を切り替えるための前記角度調整孔群が設けられ、前記角度調整孔群は、前記第１側板に複数の挿入孔が貫通され、前記第２側板に前記挿入孔と対応して螺孔が設けられ、前記当止ピンが所定の前記挿入孔を挿通して対応した前記螺孔と螺合することによって、前記当止ピンが前記制限溝に横設され、前記第２架体の角度調整のために供される
関節機能回復装置。
【発明の詳細な説明】
【技術分野】
【０００１】
本発明は、関節の動く角度を固定又は制限する関節機能回復装置に関する。
【背景技術】
【０００２】
従来の関節機能回復装置は、台湾出願第０９８２１９４１０号の「膝関節固定器之調整装置」、台湾出願第０９７２２０３８３号の「関節支架調整装置」、台湾出願第０９６２１０４８５号の「膝関節固定器之定位結構」等の先行出願に開示されている通りである。
【先行技術文献】
【特許文献】
【０００３】
【特許文献１】台湾出願第０９８２１９４１０号
【特許文献２】台湾出願第０９７２２０３８３号
【特許文献３】台湾出願第０９６２１０４８５号
【発明の概要】
【発明が解決しようとする課題】
【０００４】
しかしながら、これらの先行出願における構造は非常に複雑であるため、製造コストを効果的に低減することができず、操作も不便である。
【０００５】
そこで、本願発明者は、上記先行出願の問題を解決するため、継続して構想し、研究して、本発明を創作した。
【課題を解決するための手段】
【０００６】
本発明に係る関節機能回復装置は、すくなくとも、第１架体と、第２架体と、制御桿と、弾性部材と、を含み、前記第１架体は、第１側板及び第２側板によって制限溝が画定され、前記制限溝において中軸及び第１軸が横設され、前記第１側板及び前記第２側板に当止ピンを着脱するための角度調整孔群が設けられ、前記第２架体は、前記制限溝に挿設されるラチェット歯車が設けられ、前記ラチェット歯車の中心に前記中軸を挿通させるための中孔を有し、前記ラチェット歯車の外周に外歯部が環状に設けられ、前記制御桿は、前記制限溝に挿設され、且つ、一端縁に前記ラチェット歯車の外歯部と係合可能な係止歯が設けられ、他端縁が操縦するための操縦部に形成され、さらに前記係止歯と前記操縦部との間に第１軸を挿通させるための第１孔が設けられ、前記弾性部材は、前記制限溝において組設され、前記制御桿に弾性力を与えることができ、前記係止歯を前記ラチェット歯車の外歯部と随時噛合するように付勢して、前記第２架体が前記中軸を支点に前記当止ピンに向かって単方向にのみ回転し位置決めされるように制御する。
【０００７】
また、関節機能回復装置はさらに係合機構を含み、前記係合機構は、主に前記第１架体に係止ブロックが設けられ、前記操縦部によって強制的に前記係止歯が前記ラチェット歯車から離れた位置にあるとき、前記第２架体が前記中軸を支点に空回転できるように、前記係止ブロックが切替的に前記制御桿が当該位置に位置決めされることを支持できる。
【発明の効果】
【０００８】
本発明に係るこれらの装置においては、上記先行出願における構造配置を大幅に簡素化することができる。そのため、工数の大幅な削減と効率の向上によって経済原則に適合し、新規機能を満たして、上記先行出願における問題を解消することができる。また、本発明に係るこれらの装置においては、操縦の利便性を大きく向上させることができる。よって、これらは、確かに関節機能回復装置における新規な技術である。
【図面の簡単な説明】
【０００９】
【図１】本発明の分解説明図である。
【図２】本発明の組立外観を示す図である。
【図３】本発明の実施状態を示す図である。
【図４】本発明の関節が当初屈曲位置にあるときの実施状態を示す図である。
【図５】本発明の関節が伸展し始めたときの実施状態を示す図である。
【図６】本発明の関節が伸展して位置決めされたときの実施状態を示す図である。
【図７】本発明の関節が復位しようとするときの実施状態を示す図である。
【図８】本発明の係合機構が、制御桿がラチェット歯車から離れることを支持する実施状態を示す図である。
【図９】本発明の係合機構が開放される実施状態を示す図である。
【発明を実施するための形態】
【００１０】
図３及び図４に示すように、本発明に係る関節機能回復装置Ａは、一対となってベルトＢによって患者の関節に装着され、患者の関節の機能回復のために用いられる。図１、図２、図３及び図４を参照されたい。該関節機能回復装置Ａは、少なくとも以下を含む。
【００１１】
第１架体１０は、固定桿１１の前端縁の両側に第１側板１２及び第２側板１３が対応して配置され、且つ複数の第１ロックピン１１１によって互いに固定されている。第１側板１２及び第２側板１３によって制限溝１４が画定される。第１側板１２、第２側板１３には、制限溝１４の中央において中軸２１を横設するための中孔１２１、１３１が設けられ、また、中軸２１に対する後方上縁に第１軸２２を横設するための第１孔１２２、１３２が設けられ、そして、第１軸２２に対する下方に第２軸２３を横設するための第２孔１２３、１３３が設けられ、さらに、第２軸２３に対する下方に第３軸２４を横設するための第３孔１２４、１３４が設けられている。また、該第１側板１２、第２側板１３には、中軸２１に対する前方上縁に当止ピン２５の位置を切り替えるための角度調整孔群が設けられ、該角度調整孔群は、第１側板１２に複数の挿入孔１２５が貫設され、第２側板１３にこれと対応した螺孔１３５が設けられ、当止ピン２５を所定の挿入孔１２５を挿通させて対応した螺孔１３５と螺合させることによって、該当止ピン２５が制限溝１４に横設されて、後述する第２架体３０の角度の調整に供される。また、上記第２側板１３には吊り上げるために用いられる耳金１３６が設けられている。
【００１２】
第２架体３０は、可動桿３１の後端縁に複数の第２ロックピン３１１を用いてラチェット歯車３２が配置され、ラチェット歯車３２は制限溝１４中に挿設可能である。ラチェット歯車３２の中心には中軸２１を挿通させるための中孔３３を有し、ラチェット歯車３２の外周には外歯部３４が環状に設けられている。
【００１３】
制御桿４０は、制限溝１４中に挿設され、底端縁にラチェット歯車３２の外歯部３４と噛合可能な係止歯４２が設けられ、頂端縁が制限溝１４から突出して使用者が操縦するための操縦部４３に形成され、さらに係止歯４２と操縦部４３との間に第１軸２２を挿通させるための第１孔４１が設けられ、且つ係止歯４２から第１軸２２までの寸法が第１軸２２から操縦部４３までの寸法より小さくなるように制御される。
【００１４】
弾性部材５０は、制限溝１４中の第２軸２３に巻回され、第３軸２４に当接する第１抑え脚５１及び制御桿４０の底縁に弾性力を与えられる第２押え脚５２を有し、係止歯４２をラチェット歯車３２の外歯部３４と随時噛合するように付勢する。図４、図５及び図６に示すように、これによって、第２架体３０が中軸２１を支点に当止ピン２５に向かって時計回りに単方向にのみ回転でき、第２架体３０が当止ピン２５に当接すると該角度に位置決めされるように制御され、患者の関節の伸展筋伸ばし固定のために供される。
【００１５】
係合機構６０は、主に第１架体１０に係止ブロック６５が設けられ、操縦部４３によって係止歯４２が強制的にラチェット歯車３２の外歯部３４から離れた位置にあるとき、第２架体３０が中軸を支点に空回転できるように、該係止ブロック６５は切替的に制御桿４０が当該位置に位置決めされるように支持する。具体的には、係合機構６０は、制御桿４０、第１側板１２に互いに対応している組立孔６１、ガイド溝６２が設けられ、且つガイドピン６３がガイド溝６２を挿通して組立孔６１に固設され、制御桿４０によってガイドピン６３がガイド溝に沿って移動できるようになっている。また、第１側板１２の外側にピン部材６４によって係止ブロック６５が枢設され、該係止ブロック６５は係止溝６５１を有する。図６及び図７に示すように、操縦部４３によって強制的に係止歯４２がラチェット歯車３２の外歯部３４から離れた位置にあるとき、該係止ブロック６５の係止溝６５１がピン部材６４を回って揺動的にガイドピン６３に係入でき、切替的に制御桿４０が当該位置に位置決めされることを支持することによって、第２架体３０が中軸２１を支点に空回転でき、関節が屈曲復位できるようにする。復位完了後は、図８及び図９に示すように、制御桿４０又は係止ブロック６５を操作することによって、係止溝６５１にガイドピン６３を開放させ、係止歯４２を弾性部材５０の働きによってラチェット歯車３２の外歯部３４と再度噛合させて、患者が関節の伸展筋伸ばし動作を繰り返すことができるようにする。とりわけ、本発明においては、係止ブロック６５の任意回転を防止するために、第１側板１２に係止ブロック６５の偏転を制止できる制止ピン６６を設けても良い。
【００１６】
これによって、本発明は少なくとも以下の特長を有する。
【００１７】
一、本発明は、第１軸２２、係止歯４２及び操縦部４３を有する制御桿４０のみによる全体構造配置であるので、上記先行出願における複雑な構造を大幅に簡素化することができ、革命的な高度創作及び経済効果を発揮し、製造効率を産業利用により適したものとすることができる。
【００１８】
二、本発明は、制御桿４０の操縦及び係合機構６０の係止ブロック６５の切替えのみによって、全体の操縦を完成することができ、非常に便利である。
【００１９】
三、本発明は、係止歯４２から第１軸２２までの寸法が第１軸２２から操縦部４３までの寸法より小さいので、力を省けるという特長を有することは明らかである。従って、操作上上記先行出願より遥かに便利である。
【００２０】
以上のように、本発明の全体配置は、確かに従来技術における構造が複雑で操縦しくいという問題を解消することができ、技術思想の高度な創作であるので、特許出願要件を満たしており、法に従って出願をする。なお、以上の記載は、本発明の一の好適な実施例に過ぎず、本発明の範囲を限定するものではない。すなわち、本発明の特許請求の範囲に対する均等変更や修飾等は、いずれも本発明の範囲に含まれる。
【符号の説明】
【００２１】
Ａ                        関節機能回復装置
Ａ                        ベルト
１０                      第１架体
１１                      固定桿
１１１                    第１ロックピン
１２                      第１側板
１３                      第２側板
１２１、１３１            中孔
１２２、１３２            第１孔
１２３、１３３            第２孔
１２４、１３４            第３孔
１２５                    挿入孔
１３５                    螺孔
１３６                    耳金
１４                      制限溝
２１                      中軸
２２                      第１軸
２３                      第２軸
２４                      第３軸
２５                      当止ピン
３０                      第２架体
３１                      可動桿
３１１                    第２ロックピン
３２                      ラチェット歯車
３３                      中孔
３４                      外歯部
４０                      制御桿
４１                      第１孔
４２                      係止歯
４３                      操縦部
５０                      弾性部材
５１                      第１押え脚
５２                      第２押え脚
６０                      係合機構
６１                      組立孔
６２                      ガイド溝
６３                      ガイドピン
６４                      ピン部材
６５                      係止ブロック
６５１                    係止溝
６６                      制止ピン
【図１】
0005937181.tif 000002
【図２】
0005937181.tif 000003
【図３】
0005937181.tif 000004
【図４】
0005937181.tif 000005
【図５】
0005937181.tif 000006
【図６】
0005937181.tif 000007
【図７】
0005937181.tif 000008
【図８】
0005937181.tif 000009
【図９】
0005937181.tif 000010